(57)【要約】【課題】）自家用蓄電池２０と電気自動車等の蓄電池搭載機器の蓄電池２２の充電量を融通して充電量の適正化を図る。【解決手段】自家発電電源装置１８の電力で自家用蓄電池２０を充電する第１充電回路３２と蓄電池搭載機器の蓄電池２２を充電する第２充電回路３４と、送配電線路１２の電力で自家用蓄電池２０を充電する第３充電回路３６と蓄電池搭載機器の蓄電池２２を充電する第４充電回路３８と、自家用蓄電池２０の電力を宅内配線１６に供給する第１放電回路４０と、蓄電池搭載機器の蓄電池２２の電力を宅内配線１６に供給する第２放電回路４２と、自家用蓄電池２０で蓄電池搭載機器の蓄電池２２を充電する第１充放電回路４４と、蓄電池搭載機器の蓄電池２２で自家用蓄電池２０を充電する第２充放電回路４６とを備える。【選択図】図１
2012191698.tif 000002
【特許請求の範囲】
【請求項１】
自然エネルギを電気エネルギに変換して出力する自家発電電源装置と、前記自家発電電源装置から供給される電力もしくは前記送配電線路から供給される電力を蓄積する自家用蓄電池と、蓄電池搭載機器の蓄電池とを、相互に電気接続して電力を授受するための端子群と回路群とを備え、
前記端子群は、前記自家発電電源装置を接続する第１端子と、前記送配電線路と接続された前記分電盤に接続する第２端子と、前記自家用蓄電池を接続する第３端子と、前記蓄電池搭載機器の蓄電池と接続する第４端子とを備え、
前記回路群は、
前記第１端子から入力する前記自家発電電源装置の電力を受け入れて要求されている直流電力を出力し、前記第３端子に接続された前記自家用蓄電池を充電する第１充電回路と、
前記第１端子から入力する前記自家発電電源装置の電力を受け入れて要求されている直流電力を出力し、前記第４端子に接続された前記蓄電池搭載機器の蓄電池を充電する第２充電回路と、
前記第２端子から入力する前記送配電線路の電力を受け入れて要求されている直流電力を出力し、前記第３端子に接続された前記自家用蓄電池を充電する第３充電回路と、
前記第２端子から入力する前記送配電線路の電力を受け入れて要求されている直流電力を出力し、前記第４端子に接続された前記蓄電池搭載機器の蓄電池を充電する第４充電回路と、
前記第３端子に接続された前記自家用蓄電池で前記第４端子に接続された前記蓄電池搭載機器の蓄電池を充電する第１充放電回路と、
を備えたことを特徴とする蓄電池搭載機器充電用の蓄電池システム。
【請求項２】
請求項１に記載の蓄電池搭載機器充電用の蓄電池システムにおいて、
前記第３端子から入力する前記自家用蓄電池の電力を受け入れて要求されている交流電力を出力し、送配電線路を経由して分電盤を介して商用電源を受け入れる宅内配線に対して前記交流電力を供給する第１放電回路を備えたことを特徴とする蓄電池搭載機器充電用の蓄電池システム。
【請求項３】
請求項１に記載の蓄電池搭載機器充電用の蓄電池システムにおいて、
前記第４端子から入力する前記蓄電池搭載機器の蓄電池の電力を受け入れて要求されている交流電力を出力し、前記宅内配線に供給する第２放電回路とを備えたことを特徴とする蓄電池搭載機器充電用の蓄電池システム。
【請求項４】
請求項１に記載の蓄電池搭載機器充電用の蓄電池システムにおいて、
前記第３端子から入力する前記自家用蓄電池の電力を受け入れて要求されている交流電力を出力し、送配電線路を経由して分電盤を介して商用電源を受け入れる宅内配線に対して前記交流電力を供給する第１放電回路と、
前記第４端子から入力する前記蓄電池搭載機器の蓄電池の電力を受け入れて要求されている交流電力を出力し、前記宅内配線に供給する第２放電回路とを備えたことを特徴とする蓄電池搭載機器充電用の蓄電池システム。
【請求項５】
請求項１乃至４のいずれかに記載の蓄電池搭載機器充電用の蓄電池システムにおいて、
前記第４端子に接続された前記蓄電池搭載機器の蓄電池で前記第３端子に接続された自家用蓄電池を充電する第２充放電回路を備えたことを特徴とする蓄電池搭載機器充電用の蓄電池システム。
【請求項６】
請求項１乃至５のいずれかに記載の蓄電池搭載機器充電用の蓄電池システムにおいて、
前記回路群に含まれたいずれかの回路もしくは全ての回路に充電量適正化回路が設けられ、前記充電量適正化回路は、前記自家用蓄電池もしくは前記電池搭載機器の蓄電池の充電量を設定された範囲に制御することを特徴とする蓄電池搭載機器充電用の蓄電池システム。
【請求項７】
請求項６に記載の蓄電池搭載機器充電用の蓄電池システムにおいて、
前記充電量適正化回路が、建物内部の総合的なエネルギ管理をするＨＥＭＳサーバにより、前記自家用蓄電池もしくは前記電池搭載機器の蓄電池の充電量を設定された範囲に制御することを特徴とする蓄電池搭載機器充電用の蓄電池システム。
【発明の詳細な説明】
【技術分野】
【０００１】
本発明は、自家用蓄電池と電気自動車等の蓄電池搭載機器の充電量を適切に融通できる蓄電池搭載機器充電用の蓄電池システムに関する。
【背景技術】
【０００２】
太陽光発電装置や風力発電装置は、再生可能エネルギによる電源装置として広く実用化され、日進月歩進化している。また、クリーンなエネルギを利用した燃料電池も、次世代の自家発電電源装置として実用化が図られている。これらの自家発電電源装置により供給される電力のうちの余剰分は蓄電池に蓄積され、夜間に使用される。一方、電気自動車も、自家発電電源装置の電力や、蓄電池に蓄積した夜間電力等を利用して充電するように、駐車場に電源プラグ接続設備を設けて、自動的に充電をすることが行われている（特許文献１参照）。
【先行技術文献】
【特許文献】
【０００３】
【特許文献１】特開２０１０−２００４０５号公報
【発明の概要】
【発明が解決しようとする課題】
【０００４】
既知の従来の技術には、次のような解決すべき課題があった。自動車の利用形態は多様である。昼間のみ使用する人もいれば、夜間に多用する人もいる。ほぼ毎日使用する人もいれば、平日はほとんど使用しない人もいる。自動車の利用形態に応じて、自動車に使用する蓄電池に廉価な電力を用いて充電することが好ましい。
本発明は、以上の点に着目してなされたもので、下記のような蓄電池搭載機器充電用の蓄電池システムを提供することを目的とする。
（１）自家発電電源装置の電力や、送配電設備から受電した夜間電力を自家用蓄電池に蓄積しておき、夜でも昼でも廉価な電力を充電できる。
（２）自家用蓄電池と電気自動車等の電池搭載機器の蓄電池の充電量を融通して充電量の適正化を図れる。
【課題を解決するための手段】
【０００５】
以下の構成はそれぞれ上記の課題を解決するための手段である。
〈構成１〉
自然エネルギを電気エネルギに変換して出力する自家発電電源装置と、前記自家発電電源装置から供給される電力もしくは前記送配電線路から供給される電力を蓄積する自家用蓄電池と、蓄電池搭載機器の蓄電池とを、相互に電気接続して電力を授受するための端子群と回路群とを備え、前記端子群は、前記自家発電電源装置を接続する第１端子と、前記送配電線路と接続された前記分電盤に接続する第２端子と、前記自家用蓄電池を接続する第３端子と、前記蓄電池搭載機器の蓄電池と接続する第４端子とを備え、前記回路群は、前記第１端子から入力する前記自家発電電源装置の電力を受け入れて要求されている直流電力を出力し、前記第３端子に接続された前記自家用蓄電池を充電する第１充電回路と、前記第１端子から入力する前記自家発電電源装置の電力を受け入れて要求されている直流電力を出力し、前記第４端子に接続された前記蓄電池搭載機器の蓄電池を充電する第２充電回路と、前記第２端子から入力する前記送配電線路の電力を受け入れて要求されている直流電力を出力し、前記第３端子に接続された前記自家用蓄電池を充電する第３充電回路と、前記第２端子から入力する前記送配電線路の電力を受け入れて要求されている直流電力を出力し、前記第４端子に接続された前記蓄電池搭載機器の蓄電池を充電する第４充電回路と、前記第３端子に接続された前記自家用蓄電池で前記第４端子に接続された前記蓄電池搭載機器の蓄電池を充電する第１充放電回路と、を備えたことを特徴とする蓄電池搭載機器充電用の蓄電池システム。
【０００６】
〈構成２〉
構成１に記載の蓄電池搭載機器充電用の蓄電池システムにおいて、前記第３端子から入力する前記自家用蓄電池の電力を受け入れて要求されている交流電力を出力し、送配電線路を経由して分電盤を介して商用電源を受け入れる宅内配線に対して前記交流電力を供給する第１放電回路を備えたことを特徴とする蓄電池搭載機器充電用の蓄電池システム。
【０００７】
〈構成３〉
構成１に記載の蓄電池搭載機器充電用の蓄電池システムにおいて、前記第４端子から入力する前記蓄電池搭載機器の蓄電池の電力を受け入れて要求されている交流電力を出力し、前記宅内配線に供給する第２放電回路とを備えたことを特徴とする蓄電池搭載機器充電用の蓄電池システム。
【０００８】
〈構成４〉
構成１に記載の蓄電池搭載機器充電用の蓄電池システムにおいて、前記第３端子から入力する前記自家用蓄電池の電力を受け入れて要求されている交流電力を出力し、送配電線路を経由して分電盤を介して商用電源を受け入れる宅内配線に対して前記交流電力を供給する第１放電回路と、前記第４端子から入力する前記蓄電池搭載機器の蓄電池の電力を受け入れて要求されている交流電力を出力し、前記宅内配線に供給する第２放電回路とを備えたことを特徴とする蓄電池搭載機器充電用の蓄電池システム。
【０００９】
〈構成５〉
構成１乃至４のいずれかに記載の蓄電池搭載機器充電用の蓄電池システムにおいて、前記第４端子に接続された前記蓄電池搭載機器の蓄電池で前記第３端子に接続された自家用蓄電池を充電する第２充放電回路を備えたことを特徴とする蓄電池搭載機器充電用の蓄電池システム。
【００１０】
〈構成６〉
構成１乃至５のいずれかに記載の蓄電池搭載機器充電用の蓄電池システムにおいて、前記回路群に含まれたいずれかの回路もしくは全ての回路に充電量適正化回路が設けられ、前記充電量適正化回路は、前記自家用蓄電池もしくは前記電池搭載機器の蓄電池の充電量を設定された範囲に制御することを特徴とする蓄電池搭載機器充電用の蓄電池システム。
【００１１】
〈構成７〉
構成６に記載の蓄電池搭載機器充電用の蓄電池システムにおいて、前記充電量適正化回路が、建物内部の総合的なエネルギ管理をするＨＥＭＳサーバにより、前記自家用蓄電池もしくは前記電池搭載機器の蓄電池の充電量を設定された範囲に制御することを特徴とする蓄電池搭載機器充電用の蓄電池システム。
【発明の効果】
【００１２】
〈構成１の効果〉
自家用蓄電池と電気自動車等の電池搭載機器の蓄電池を、商用電源と自家発電電源装置により充電できる。また、自家用蓄電池から電気自動車等の電池搭載機器の蓄電池に充電できる。従って、電池搭載機器の蓄電池に低コストの電力を充電できる。
〈構成２の効果〉
自家用蓄電池の電力を宅内配線に供給できる。
〈構成３の効果〉
電池搭載機器の蓄電池の電力を宅内配線に供給でき、電池搭載機器の蓄電池を有効利用できる。
〈構成４の効果〉
自家用蓄電池と電池搭載機器の蓄電池の両方の電力を合わせて宅内配線に供給でき、電池搭載機器の蓄電池を有効利用できる。
〈構成５の効果〉
自家用蓄電池と電池搭載機器の蓄電池に充電された電力を相互に融通して、電池搭載機器の蓄電池を有効利用できる。
〈構成６の効果〉
自家用蓄電池や電池搭載機器の蓄電池の充電量を、利用者が予め設定しておいた範囲に自動的に制御できる。従って、利用者が自家用蓄電池や電池搭載機器の蓄電池を、いつどのように利用するかを決めて、充電量を最適化できる。
〈構成７の効果〉
建物内部の総合的なエネルギ管理をするＨＥＭＳサーバにより、自動的に、自家用蓄電池や電池搭載機器の蓄電池の充電量を最適化できる。
【図面の簡単な説明】
【００１３】
【図１】実施例１の蓄電池搭載機器充電用の蓄電池システム１０を示す結線図である。
【図２】蓄電池搭載機器の蓄電池の従来の充電方法説明図である。
【図３】実施例２の充電回路例を示す結線図である。
【図４】コンピュータによる充電量制御のための回路結線図である。
【発明を実施するための形態】
【００１４】
本発明では、自家用蓄電池と蓄電池搭載機器の蓄電池に対して、自家発電電源装置や送配電線路から供給される電力を蓄積できるように構成する。さらに、自然エネルギや夜間電力により自家用蓄電池に充電した電力で、蓄電池搭載機器の蓄電池を充電できる回路を設ける。これで、電気自動車等の蓄電池搭載機器に対して、いつでも低コストの電力を充電できる。また、蓄電池搭載機器の使用頻度が低い場合には、自家用蓄電池や蓄電池搭載機器の蓄電池に蓄積された電力を宅内配線側で有効に利用する。以下、本発明の実施の形態を実施例毎に詳細に説明する。
【実施例１】
【００１５】
図１は実施例１の蓄電池搭載機器充電用の蓄電池システム１０を示す結線図である。
図の蓄電池システム１０は、自家用蓄電池２０と蓄電池搭載機器の蓄電池２２に充電をして、その電力を利用するためのものである。これらの蓄電池は、自家発電電源装置１８から供給される電力や送配電線路１２から供給される電力を蓄積する。
【００１６】
自家発電電源装置１８、例えば、太陽光発電装置は、自然エネルギを電気エネルギに変換して出力する。宅内配線１６は、送配電線路１２を経由して分電盤１４を介して商用電源を受け入れる。そして、自家発電電源装置１８と宅内配線１６と自家用蓄電池２０と蓄電池搭載機器の蓄電池２２とを、相互に電気接続して電力を授受するための端子群と回路群とが設けられている。以下、装置の各部を具体的に説明する。
【００１７】
［自家発電電源装置］
自家発電電源装置１８には、様々なものが知られている。太陽光発電装置は、太陽エネルギを電気エネルギに変換して出力するものである。風力発電装置は、風力エネルギを電気エネルギに変換して出力するものである。燃料電池は、水素等を燃料として発電するものである。その他にも、熱エネルギや水力や波力を電気エネルギに変換して出力する電源装置がある。本発明では、これらの自家発電電源装置１８のいずれも利用することができる。最も低コストのエネルギ源として利用できる。
【００１８】
［送配電線路と宅内配線］
送配電線路１２は、電力会社から商用電源を供給するための線路である。宅内配線１６は、送配電線路１２と分電盤１４等を介して接続される。宅内配線１６は、送配電線路１２と分電盤１４等の受電設備により隔てられた配電設備で、住宅やマンション等の住人が商用電源を利用するための設備である。分電盤１４は、宅内配電用の分岐回路やブレーカー等を内蔵した機器である。電力会社から供給される夜間電力は、自然エネルギの次に低コストで安定なエネルギ源として利用できる。
【００１９】
［蓄電池］
蓄電池は充放電により電力を蓄積したり放出したりする機能を持つ２次電池である。この実施例では、自家用蓄電池２０と蓄電池搭載機器の蓄電池２２を使用する。自家用蓄電池２０は、自家発電電源装置１８から供給される電力の蓄積に利用される。図の実施例では、自家発電電源装置１８の出力する電力は不安定なため、自家用蓄電池２０にいったん蓄積してから使用される。しかし、自家発電電源装置１８から既知のパワーコントロールを介して分電盤側に電力を送出し、売電に利用したり、宅内配線側に直接電力を供給してもよい。
【００２０】
自家発電電源装置１８の出力する電力を自家用蓄電池２０に蓄積して夜間に使用することができる。さらに、送配電線路１２から供給される電力を自家用蓄電池２０に蓄積して、昼間に使用することもできる。また、この実施例のシステムは、自家用蓄電池２０にいったん蓄積した電力で、蓄電池搭載機器の蓄電池２２を充電することができる回路を備える。この回路は後で説明する。
【００２１】
［蓄電池搭載機器］
蓄電池搭載機器には、電気自動車がある。電気モーターのみで走行するものやいわゆるハイブリッド式のものを含む。充電に大電力が必要なために特別の配線を必要とする場合も多い。その一方で、大容量の蓄電池２２を搭載していることから、この実施例では、最も低コストの電力で充電することを可能にした。また、蓄電池２２を自家用蓄電池２０の代用として使用することもできる。
【００２２】
電気自動車のほかに、蓄電池搭載機器として、電動式のオートバイやスクーター等を含む電動バイクや、電動アシスト式の自転車等を含む電動自転車や、その他、電動式の車椅子や農機、電動式の産業機器等を挙げることができる。本発明では、これらに搭載した蓄電池も有効に利用できる。
【００２３】
（端子群）
図１に示した端子群は、第１端子２４と第２端子２６と第３端子２８と第４端子３０とを含む。第１端子２４には自家発電電源装置１８を接続する。第２端子２６には送配電線路１２と接続された分電盤１４を接続する。第３端子２８には、自家用蓄電池２０を接続する。第４端子３０には蓄電池搭載機器の蓄電池２２を接続する。
【００２４】
（回路群）
一点鎖線の枠内に配置した回路群は、第１充電回路３２と第２充電回路３４と第３充電回路３６と第４充電回路３８と第１放電回路４０と第２放電回路４２と第１充放電回路４４と第２充放電回路４６とを含む。
【００２５】
第１充電回路３２は、第１端子２４から入力する自家発電電源装置１８の電力を受け入れて要求されている直流電力を出力し、第３端子２８に接続された自家用蓄電池２０を充電する機能を持つ。第２充電回路３４は、第１端子２４から入力する自家発電電源装置１８の電力を受け入れて要求されている直流電力を出力し、第４端子３０に接続された蓄電池搭載機器の蓄電池２２を充電する機能を持つ。
【００２６】
第３充電回路３６は、第２端子２６から入力する送配電線路１２の電力を受け入れて要求されている直流電力を出力し、第３端子２８に接続された自家用蓄電池２０を充電する機能を持つ。第４充電回路３８は、第２端子２６から入力する送配電線路１２の電力を受け入れて要求されている直流電力を出力し、第４端子３０に接続された蓄電池搭載機器の蓄電池２２を充電する機能を持つ。
【００２７】
第１放電回路４０は、第３端子２８から入力する自家用蓄電池２０の電力を受け入れて要求されている交流電力を出力し、宅内配線１６に供給する機能を持つ。第２放電回路４２は、第４端子３０から入力する蓄電池搭載機器の蓄電池２２の電力を受け入れて要求されている交流電力を出力し、宅内配線１６に供給する機能を持つ。
【００２８】
第１充放電回路４４は、第３端子２８に接続された自家用蓄電池２０で第４端子３０に接続された蓄電池搭載機器の蓄電池２２を充電する機能を持つ。第２充放電回路４６は、第４端子３０に接続された蓄電池搭載機器の蓄電池２２で第３端子２８に接続された自家用蓄電池２０を充電する機能を持つ。
【００２９】
［回路の具体例］
第１充電回路３２や第２充電回路３４は、例えば、太陽光発電装置の出力する直流電圧を、蓄電池の充電に適当な電圧に変換するＤＣ−ＤＣコンバータと、充電を制御する電圧電流制御回路等を備える。ＤＣ出力電圧が近接していれば、第１充電回路３２と第２充電回路３４とをひとつにまとめることができる。ＤＣ−ＤＣコンバータの出力側に選択スイッチを設けて、自家用蓄電池２０または蓄電池搭載機器の蓄電池２２のいずれかに接続すればよい。即ち、第１充電回路３２と第２充電回路３４とは必ずしも別個に設ける必要はない。
【００３０】
第３充電回路３６や第４充電回路３８は、例えば、ＡＣ１００ボルトの宅内配線１６に接続して、蓄電池の充電に適当な直流電圧に変換するＡＣ−ＤＣコンバータと、充電を制御する電圧電流制御回路等を備える。ＤＣ出力電圧が近接していれば、上記の場合と同様に、出力側に選択スイッチを設けて、第３充電回路３６と第４充電回路３８とをひとつにまとめることができる。即ち、第３充電回路３６と第４充電回路３８とは必ずしも別個に設ける必要はない。
【００３１】
第１放電回路４０と第２放電回路４２とは、蓄電池に接続して宅内配線１６用の交流電圧を出力するＤＣ−ＡＣコンバータや過電流保護回路等を備えるとよい。自家用蓄電池２０と蓄電池搭載機器の蓄電池２２のＤＣ出力電圧が同じであれば、入力側に選択スイッチを設けて、第１放電回路４０と第２放電回路４２とをひとつにまとめることもできる。
【００３２】
第１充放電回路４４と第２充放電回路４６は、例えば、一方の蓄電池２０に接続して他方の蓄電池２２の充電に適当な直流電圧に変換するＤＣ−ＤＣコンバータと、充電を制御する電圧電流制御回路等を備える。起電力の高いほうから低いほうへの充電は充電電流を制御しながらオンオフするスイッチ回路のみで構成することができる。
【００３３】
図２は、蓄電池搭載機器の蓄電池の従来の充電方法説明図である。
個人の住宅で電気自動車の充電をする場合には、例えば、交流１００ボルトあるいは交流２００ボルトのコンセント５０に、電気自動車に設けられた充電用のプラグ４８を接続する。実施例のシステムにこのようなコンセント５０も設けておくとよい。なお、従来はこのように交流電源を用いた充電がなされていたが、この実施例のシステムを利用する場合には、第４端子に蓄電池搭載機器の蓄電池２２を直流で充電する端子を設けることが好ましい。またあるいは、実施例２以下で説明するように、蓄電池搭載機器の蓄電池２２を蓄電池搭載機器から取り外して充電をするとよい。
【００３４】
以上の回路は次のようにして使用する。
（１）第１充電回路３２により、自家発電電源装置１８の発電電力を自家用蓄電池２０に充電できる。この電力は、主として宅内配線１６側に供給されて使用される。自家用蓄電池２０に充電された電力は、夜間に蓄電池搭載機器の蓄電池２２の充電にも利用される。
（２）第２充電回路３４により、自家発電電源装置１８の発電電力を蓄電池搭載機器の蓄電池２２に充電できる。昼間に蓄電池搭載機器を接続できれば、この方法で充電ができる。
（３）第３充電回路３６により、廉価な夜間電力を自家用蓄電池２０に充電できる。自家発電電源装置１８の発電電力が不足な場合に利用される。
（４）第４充電回路３８により、廉価な夜間電力を利用して、電池搭載機器の蓄電池２２を充電できる。夜間に蓄電池搭載機器を接続できれば、この方法で充電ができる。
【００３５】
（５）電気自動車が、昼間は戸外で使用され夜間にのみ駐車場に置かれることも多い。太陽光発電装置のような昼間に発電する装置の電力を自家用蓄電池２０に蓄積しておけば、上記のように、夜間にその電力を電気自動車に充電できる。
（６）電気自動車が、昼間にのみ駐車場に置かれるときは、廉価な夜間電力を自家用蓄電池２０に蓄積しておき、昼間にその電力を電気自動車に充電できる。
（７）上記のいずれかの方法を選択することにより、電池搭載機器の蓄電池２２の充電に、最も経済的な方法を採用できる。
【００３６】
（８）自家用蓄電池２０に充電された電力を住宅内で利用する場合、蓄電池搭載機器の蓄電池２２が接続されていれば、自家用蓄電池２０の充電電力と蓄電池搭載機器の蓄電池２２の充電電力との合計容量の電力を利用することが可能となり、より大きな経済効果を得ることができる。
【００３７】
（９）第１充放電回路４４や第２充放電回路４６により、自家用蓄電池２０と電池搭載機器の蓄電池２２の充電量を融通して充電量の適正化を図れる。電池搭載機器の蓄電池２２を自家発電電源装置１８の電力を蓄積するために利用すれば、自家用蓄電池２０の負荷を軽減し、自家用蓄電池２０の寿命を伸ばすことができる。
【００３８】
（１０）特に、蓄電池搭載機器が、長期間使用されないか、あるいは希にしか使用されない場合がある。このような場合に、蓄電池搭載機器の蓄電池２２を適度に使用すれば、その蓄電池２２の性能を維持できる。しかも、自然放電により充電量が適正値以下まで減少するのを防ぎ、例えば、蓄電池２２の適正最低充電量を３０％に設定して、蓄電池搭載機器をいつでも使用できる状態にしておくことができる。
【実施例２】
【００３９】
図３は実施例２の充電回路例を示す結線図である。
例えば、太陽電池の場合、多数のセル群を必要な数だけ直列接続して、要求される出力電圧を得ることができる。従って、蓄電池を充電するための最適な直流出力電圧を直接取り出すことも可能である。この場合には、直流電圧を昇圧したり、降圧したりする回路は必要としない。例えば第１充電回路３２と第２充電回路３４は、充電電圧や充電電流をモニタしながら出力電流を断続するスイッチング回路等であればよい。この実施例では、第１充電回路３２と第２充電回路３４とを一体化した例を示した。
【００４０】
図の例では、自家用蓄電池２０と蓄電池搭載機器の蓄電池２２に、充電量適正化回路６０と充電器性能判定回路６２とを接続した。一般に、蓄電池の充電では、例えば、蓄電量が少ない状態で定電流制御をし、端子電圧上昇後に定電圧制御に切り替えるといった制御を行う。充電量適正化回路６０がこの役割を果たす。これにより、充電量の適正化が図れる。同時に、充電器性能判定回路６２は、充放電特性を監視して、蓄電池の充電性能を判定する。なお、この実施例では、蓄電池搭載機器の蓄電池２２を蓄電池搭載機器から取り外して充電をするようにしている。これにより、自家発電電源装置１８から自家用蓄電池２０への充電と、自家発電電源装置１８から蓄電池搭載機器の蓄電池２２への充電を自由に制御できる。
【００４１】
図のように、第３端子２８と第４端子３０の間に第１充放電回路４４を設けることにより、昼間に自家発電電源装置１８を用いて自家用蓄電池２０に充電した電力を、蓄電池搭載機器の蓄電池２２に送って充電をすることができる。一方、例えば、長期間蓄電池搭載機器を使用する予定がない場合がある。このときは、蓄電池搭載機器の蓄電池２２に対して、その性能を維持できる最小限の電力のみを充電しておくことが好ましい。余分な電力が充電されていれば、その電力を自家用蓄電池２０に移して有効に利用する。このために、第３端子２８と第４端子３０の間に第２充放電回路４６を設けた。即ち、自家用蓄電池２０と蓄電池２２の充電量を適当に融通することができる。
【００４２】
例えば、充電量適正化回路６０は適正最大充電量を８０％とか９０％に設定して、蓄電池の長寿命化を図ることができる。また、例えば、蓄電池搭載機器の蓄電池２２の適正最低充電量を３０％と設定しておく。これにより、宅内への電力供給のために充放電を行なったとしても、適正最低充電量３０％以上は放電しないで維持しておくことができる。これにより、蓄電池搭載機器の突然の使用要求に応えることができる。事前に使用予定が分かっていれば、蓄電池搭載機器の蓄電池２２をフル充電しておくとよい。
【実施例３】
【００４３】
図４は、コンピュータによる充電量制御のための回路結線図である。
上記のような自家用蓄電池２０と蓄電池搭載機器の蓄電池２２の充放電量の適正な融通制御は、コンピュータにより自動化することができる。また、利用者がコンピュータを使用して充電量を設定できる。その場合には、図１に示した回路群を、例えば、ＨＥＭＳ（ホームエネルギマネージメントサービス）サーバ６４に接続して制御するとよい。
【００４４】
ＨＥＭＳサーバ６４は、一般住宅等の建物内部のエネルギ供給量とエネルギ消費量とを詳細にモニタして、その結果をディスプレイ６６に表示したり、例えば、エアコンの運転を制御して、適正温度に制御するといった機能を持つ。このＨＥＭＳサーバ６４に、自家用蓄電池２０と蓄電池搭載機器の蓄電池２２の適正最大充電量や適正最低充電量を計算する機能等を付与するとよい。なお、本発明において、ＨＥＭＳサーバ６４は、少なくとも、建物内の指定されたエネルギ使用機器の状態とエネルギ供給状態を取得する機能があればよく、例えば、エネルギ使用機器として、蓄電池を指定し、エネルギ供給状態として、送配電線路からの受電出電力と自家発電装置の発電電力を指定すれば、以下のシステムが実現する。
【００４５】
図４には、図１に示した各回路に図３で説明した充電量適正化回路６０と充電器性能判定回路６２とを設けた例を示す。第２充電回路以下にも、第１充電回路と同様に充電量適正化回路６０と充電器性能判定回路６２とを追加する。図４ではそれらの図示を省略した。
【００４６】
例えば、図４の例では、ディスプレイ６６に表示された制御画面により、例えば、蓄電池搭載機器の蓄電池２２の適正最大充電量を９０％とし、最低充電量を３０％に設定する。この設定は、各回路の充電量適正化回路６０に通知される。従って、蓄電池搭載機器の蓄電池２２を商用電源で充電する場合も、自家発電電源装置１８で充電する場合も、自家用蓄電池２０で充電する場合も、フル充電の場合には９０％まで充電する。また、蓄電池搭載機器の蓄電池２２の電力を宅内配線に放電する場合には、充電量が３０％になると、放電を停止するように制御する。
【００４７】
このほかに、任意のタイミングで、自家用蓄電池２０と蓄電池搭載機器の蓄電池２２を充電したり、これらを放電させたり、これらのうちの一方で他方を充電したりする制御信号を、ＨＥＭＳサーバ６４から送出させるとよい。これにより、建物内部の総合的なエネルギ管理に自家用蓄電池２０と蓄電池搭載機器の蓄電池２２を役立てることができる。
【符号の説明】
【００４８】
１０  蓄電池システム
１２  送配電線路
１４  分電盤
１６  宅内配線
１８  自家発電電源装置
２０  自家用蓄電池
２２  蓄電池搭載機器の蓄電池
２４  第１端子
２６  第２端子
２８  第３端子
３０  第４端子
３２  第１充電回路
３４  第２充電回路
３６  第３充電回路
３８  第４充電回路
４０  第１放電回路
４２  第２放電回路
４４  第１充放電回路
４６  第２充放電回路
４８  プラグ
５０  コンセント
５２  太陽電池セル群
５６  充電用出力端子
６０  充電量適正化回路
６２  充電器性能判定回路
６４  ＨＥＭＳサーバ
６６  ディスプレイ
【図１】
2012191698.tif 000003
【図２】
2012191698.tif 000004
【図３】
2012191698.tif 000005
【図４】
2012191698.tif 000006